(57)【要約】【課題】例えば表示装置として用いられ、設置やメンテナンスを安全且つ簡単に行うことができるユニット構造体を得る。【解決手段】縦フック掛け具１３及び横フック掛け具１４を有するユニット１０と、ユニット１０の縦フック掛け具１３に係合させる縦フック１７を有する縦シャフト１５と、ユニット１０の横フック掛け具１４に係合させる横フック１８を有する横シャフト１６とを有し、縦シャフト１５と横シャフト１６を回転又はスライドさせることで、ユニット１０の固定、固定解除が可能な構造とする。これにより、ユニット１０を複数用意すると共に、縦シャフト１５と横シャフト１６をそれぞれ複数本用意して格子状に配置することで、縦横交点のユニット１０のみを固定したり固定解除したりすることができる。【選択図】図１
2008233832.tif 000002
【特許請求の範囲】
【請求項１】
背面に縦フック掛け具及び横フック掛け具を有するユニットと、
前記ユニットの前記縦フック掛け具に係合させるフックを有する縦シャフトと、
前記ユニットの前記横フック掛け具に係合させるフックを有する横シャフトと、
を有し、前記縦シャフト及び前記横シャフトを回転又はスライドさせることで前記ユニットを固定及び固定解除を可能としたユニット構造体。
【請求項２】
前記ユニットは、発光素子を使用した表示器である請求項１に記載のユニット構造体。
【請求項３】
前記ユニットは、その背面に位置決め部材を有する請求項１又は請求項２に記載のユニット構造体。
【請求項４】
前記縦シャフトは、前記ユニットの前記縦フック掛け具との係合状態を保持するロック機構を有する請求項１乃至請求項３のいずれかに記載のユニット構造体。
【請求項５】
前記横シャフトは、前記ユニットの前記横フック掛け具との係合状態を保持するロック機構を有する請求項１乃至請求項４のいずれかに記載のユニット構造体。
【請求項６】
前記縦シャフト及び前記横シャフトをそれぞれ回転自在に支持し、また前記ユニットを複数個収容するフレームを有する請求項１乃至請求項５のいずれかに記載のユニット構造体。
【請求項７】
前記縦シャフトを上下に複数分割及び前記横シャフトを左右に複数分割した分割構造を有する請求項１乃至請求項６のいずれかに記載のユニット構造体。
【発明の詳細な説明】
【技術分野】
【０００１】
本発明は、例えばＬＥＤ(Light Emitting Diode:発光ダイオード)等の発光素子を使用して文字や画像を表示する表示装置として用いられるユニット構造体に関する。
【背景技術】
【０００２】
近年、ビルの壁面、屋上あるいは支柱上に設置し、店舗のコマーシャル、ニュース、天気などの情報を流す大型の表示装置が普及してきている。特に、ＬＥＤの高輝度化に伴い、また省電力化が図れることもあって、最近の表示装置にはＬＥＤが使われている。
【０００３】
図８は、従来の表示装置を示す斜視図である。この図に示す従来の表示装置１００は、四角形状の枠型の筐体１０１にＬＥＤを用いた複数のパネル１０２を縦横に密接して配列した構造となっている。各パネル１１０の筐体１００への取り付けは、数本のネジで行われる。筐体１００内部には、各パネル１１０を点灯制御する制御回路、電源装置、冷却ファン、換気用フィルタ等（いずれも図示略）が設けられている。この表示装置１００は、構造上、ビル等の壁面に略密着して取り付けるタイプであるので、筐体１０１内部にある各部品をメンテナンスする際には、パネル１０２を取り外した状態で小窓１０３から作業を行う。この場合、メンテナンスの作業内容、場所によりパネル１０２の外す位置、数量が決められる。特許文献１にこの種の表示装置が開示されている。
【０００４】
一方、図９は、取り付け壁１３０との間にスペース１４０を設けた構造の表示装置１２０を示す側面図である。取り付け壁１３０との間にスペース１４０を設けるためのフレーム１０４を有する以外は上述した表示装置１００と同じ構成を採る。取り付け壁１３０との間にスペース１４０を設けることで、背面からのメンテナンスが可能となっている。
【０００５】
【特許文献１】特開２００１―３３７６２６号公報
【発明の開示】
【発明が解決しようとする課題】
【０００６】
ところで、図８に示す構造の表示装置１００は、取り付け壁との間にスペースを設けない分、薄型化が可能であるが、メンテナンスの際には、パネル１０２を外して小窓１０３から作業をする必要があり、高所での作業は大変な作業となり危険性もある。また、筐体１００の内部で使用する部品も小窓１０３から交換できるサイズのものしか使えない。さらに、筐体本体も一体化又は数分割程度の大型のものであり、クレーンで吊り上げる設置工事も大掛かりとなる。
【０００７】
また、図９に示す構造の表示装置１２０は、取り付け壁１３０との間にスペース１４０を設けたことで背面からのメンテナンスが可能となったが、人が入れるスペースを確保するため表示装置１２０の厚みが増えてしまうことに加え、表示装置１２０を固定するフレーム１０４の強度を大幅に増やす必要がある。また、設置に関しても図８の表示装置１００と同様の問題がある。
【０００８】
本発明は係る事情に鑑みてなされたものであり、例えば表示装置として用いられ、設置やメンテナンスを安全且つ簡単に行うことができるユニット構造体を提供することを目的とする。
【課題を解決するための手段】
【０００９】
本発明のユニット構造体は、背面に縦フック掛け具及び横フック掛け具を有するユニットと、前記ユニットの前記縦フック掛け具に係合させるフックを有する縦シャフトと、前記ユニットの前記横フック掛け具に係合させるフックを有する横シャフトと、を有し、前記縦シャフト及び前記横シャフトを回転又はスライドさせることで前記ユニットを固定及び固定解除を可能とした。
【００１０】
上記構成によれば、縦シャフトと横シャフトを回転又はスライドさせることで、ユニットを固定したり、固定解除したりすることができるので、ユニットを複数用意すると共に、縦シャフトと横シャフトをそれぞれ複数本用意して格子状に配置することで、縦横交点のユニットのみを固定したり固定解除したりすることが可能となる。したがって、メンテナンスの必要なユニットを簡単に外すことができるので、安全な場所でメンテナンスを行うことができる。また、不良ユニットも簡単に交換することができる。
【００１１】
また、上記構成において、前記ユニットは、発光素子を使用した表示器である。
【００１２】
上記構成によれば、ユニットの数量を変えるだけでサイズを簡単に変更することができ、標準化が図れる表示装置を実現できる。
【００１３】
また、上記構成において、前記ユニットは、その背面に位置決め部材を有する。
【００１４】
上記構成によれば、複数のユニットを重ねて配置する場合に、それぞれを正確に配置することができる。
【００１５】
上記構成において、前記縦シャフトは、前記ユニットの前記縦フック掛け具との係合状態を保持するロック機構を有する。
【００１６】
上記構成によれば、縦シャフトが振動等で勝手に回転してユニットの縦フック掛け具から外れないようにすることができ、使用上の安全を確保できる。
【００１７】
上記構成において、前記横シャフトは、前記ユニットの前記横フック掛け具との係合状態を保持するロック機構を有する。
【００１８】
上記構成によれば、横シャフトが振動等で勝手に回転してユニットの横フック掛け具から外れないようにすることができ、使用上の安全を確保できる。
【００１９】
上記構成において、前記縦シャフト及び前記横シャフトをそれぞれ回転自在に支持し、また前記ユニットを複数個収容するフレームを有する。
【００２０】
上記構成によれば、壁面や支柱などに表示装置を取り付ける際の台座の役目とユニットの位置決め、縦、横シャフトのホルダとして構成することができ、設置作業の効率化が図れる。
【００２１】
上記構成において、前記縦シャフトを上下に複数分割及び前記横シャフトを左右に複数分割した分割構造を有する。
【００２２】
上記構成によれば、縦及び横シャフトが長過ぎる場合は、複数に分割することで、ユニットの固定及び固定解除を確実に行うことができる。
【発明の効果】
【００２３】
本発明のユニット構造体によれば、縦シャフトと横シャフトを回転又はスライドさせることで、ユニットを固定したり、固定解除したりすることができるので、ユニットを複数用意すると共に、縦シャフトと横シャフトをそれぞれ複数本用意して格子状に配置することで、縦横交点のユニットのみを固定したり固定解除したりすることが可能となる。したがって、メンテナンスの必要なユニットを簡単に外すことができるので、安全な場所でメンテナンスを行うことができる。また、不良ユニットも簡単に交換することができる。
【発明を実施するための最良の形態】
【００２４】
以下、本発明を実施するための好適な実施の形態について、図面を参照して詳細に説明する。
【００２５】
図１は、本発明の一実施の形態に係るユニット構造体を示す側面図である。同図において、本実施の形態のユニット構造体は、表示装置として用いたものであり、複数のユニット１０と、複数の縦シャフト１５と、複数の横シャフト１６とを主に備えて構成される。
【００２６】
図２は、ユニット構造体を構成するユニットを示す斜視図である。同図において、ユニット１０は、複数のＬＥＤ及び各ＬＥＤを点灯制御する制御回路（共に図示略）等を内蔵する方形状のパネル１１を４枚集合させて構成した表示器であり、人が手で容易に扱うことができるサイズとなっている。また、屋外でも使用可能なように防滴構造となっている。
【００２７】
図３は、ユニット１０を背面側から見た斜視図である。ユニット１０の背面にはユニット１０を図７に示す枠側のフレーム２０に取り付けるための２つの位置決めピン１２が設けられている。この２つの位置決めピン１２は、ユニット１０の４つの角部のうち、対角線方向に対向する２つの角部に設けられる。なお、残りの２つの角部にも設けても構わないが、位置決めするには２個で十分である。図７に示すように、ユニット１０の２つの位置決めピン１２をフレーム２０に形成された穴２１に差し込むことにより、ユニット１０の位置決め仮設置が可能となる。また、前面方向（図７の矢印Ａ方向）に引き出すことにより取り外すことができる。
【００２８】
図３に戻り、ユニット１０の背面の中央部分には、それぞれコ字状に形成された縦フック掛け具１３と横フック掛け具１４が９０度位置を違えて設けられており、これらのフック掛け具１３及び１４は、ユニット１０の位置決めピン１２でフレーム２０に装着した後にフレーム２０から外れないように固定するためのものである。１つのユニット１０ごとに縦フック掛け具１３と横フック掛け具１４でフレーム２０に固定するので、高い安全性が得られる。
【００２９】
図１に示すように、各ユニット１０は、縦シャフト１５と横シャフト１６に取り付けられる。縦シャフト１５と横シャフト１６は、それぞれユニット１０の使用個数に応じた本数設けられ、フレーム２０（図７参照）に対して格子状に且つ回転自在に配置される。縦シャフト１５には、ユニット１０の縦フック掛け具１３と係合する縦フック１７が一定間隔で複数個設けられている（即ち、複数のユニット１０を重ねた場合に各ユニット１０の縦フック掛け具１３が来る位置に縦フック１７が設けられている）。横シャフト１６には、ユニット１０の横フック掛け具１４と係合する横フック１８が一定間隔で複数が設けられている（即ち、複数のユニット１０を重ねた場合に各ユニット１０の横フック掛け具１４が来る位置に横フック１８が設けられている）。
【００３０】
なお、ユニット１０には、複数個重ねて設置する場合に、隣同士のユニット１０との間で信号の通信が行えるコネクタ（図示略）が設けられている。
【００３１】
図４に示すように、縦シャフト１５を矢印Ｂ方向に回転させることで、縦フック１７をユニット１０の縦フック掛け具１３に係合させることができる。即ち、縦シャフト１５にユニット１０を取り付ける際には縦シャフト１５を矢印Ｂ方向に回転させる。また、縦シャフト１５からユニット１０を外すときは、縦シャフト１５を矢印Ｂ方向と逆方向Ｂ’に回転させる。
【００３２】
なお、説明するまでもないが、縦シャフト１５には複数の縦フック１７が設けられているので、縦シャフト１５を矢印Ｂ方向に回転させることで、縦シャフト１５の各縦フック１７を縦列全てのユニット１０の縦フック掛け具１３に係合させることができる。また、縦シャフト１５を矢印Ｂ’方向に回転させることで、縦シャフト１５の各縦フック１７を縦列全てのユニット１０の縦フック掛け具１３から外すことができる。縦シャフト１５の回転は、電動で行うようにしても良いし、手動で行うようにしても良い。
【００３３】
また、縦シャフト１５は、回転させるのではなく、図５に示すように、上下にスライドさせるようにしても良い。この場合、ユニット１０の縦フック掛け具１３の向きを９０度変更する必要がある。縦シャフト１５を下方にスライドさせることで、縦シャフト１５の縦フック１７がユニット１０の縦フック掛け具１３に係合し、上方にスライドさせることで外れる。
【００３４】
また、図６に示すように、縦シャフト１５の縦フック１７を縦シャフト１５に対して回転自在とすると共に、ユニット１０の縦フック掛け具１３と対向する位置（即ち、矢印Ｅで示す位置）で停止するように規制し、さらに停止位置に向けてバネ等の弾性部材で付勢する（あるいはその逆で、停止位置に向けてバネ等の弾性部材を引っ張る）ようにしても良い。このようにすることにより、ユニット１０の縦フック掛け具１３を押し込んだ際に、縦フック１７が縦フック掛け具１３から逃げる方向（矢印Ｄで示す方向）へ移動し、その後、縦フック１７の鉤部分１７Ａが縦フック掛け具１３を乗り越えることで、縦フック１７が停止位置（矢印Ｅで示す位置）に戻り、縦フック掛け具１３に係合する。
【００３５】
縦シャフト１５の縦フック１７をユニット１０の縦フック掛け具１３から外す場合は、縦シャフト１５自体を矢印Ｂ’方向に回転させれば良い。このとき縦フック１７は縦シャフト１５と一体化して回転するので、ユニット１０の縦フック掛け具１３から外れる。このように、縦シャフト１５の縦フック１７をユニット１０の縦フック掛け具１３に自動的に係合させることができる。なお、縦フック１７を縦シャフト１５に対して回転自在に支持する機構（図示）と縦フック１７の停止位置方向に縦フック１７を引っ張る弾性部材はロック機構を構成する。因みに、このロック機構はスライド式にも適用可能である。即ち、縦シャフト１５の縦フック１７がユニット１０の縦フック掛け具１３に係合する方向に付勢するように弾性部材を設ける。
【００３６】
横シャフト１６も縦シャフト１５と略同じ構造を採っており、図１に示すように、横シャフト１６を矢印Ｃ方向に回転させることで、横フック１８をユニット１０の横フック掛け具１４に係合させることができる。即ち、横シャフト１６にユニット１０を取り付ける際には横シャフト１６を矢印Ｃ方向に回転させる。横シャフト１６からユニット１０を外すときは、横シャフト１６を矢印Ｃ方向と逆方向の矢印Ｃ’方向に回転させる。
【００３７】
なお、横シャフト１６も縦シャフト１５と同様に、横シャフト１６には複数の横フック１８が設けられているので、横シャフト１６を矢印Ｃ方向に回転させることで、横シャフト１６の各横フック１８を横列全てのユニット１０の横フック掛け具１４に係合させることができる。また、横シャフト１６を矢印Ｃと逆方向の矢印Ｃ’方向に回転させることで、横シャフト１６の各横フック１８を横列全てのユニット１０の横フック掛け具１４から外すことができる。横シャフト１６の回転は、電動で行うようにしても良いし、手動で行うようにしても良い。
【００３８】
また、横シャフト１６も回転させるのではなく、左右にスライドさせるようにしても良い。この場合、ユニット１０の横フック掛け具１４の向きを９０度変更する必要がある。横シャフト１６を例えば左にスライドさせることで、横シャフト１６の横フック１８がユニット１０の横フック掛け具１４に係合し、右にスライドさせることで外れる。
【００３９】
また、横シャフト１６も縦シャフト１５と同様に、横シャフト１６の横フック１８を横シャフト１６に対して回転自在とすると共に、ユニット１０の横フック掛け具１４と対向する位置（図６を援用すると、矢印Ｅで示す位置）で停止するように規制し、さらに停止位置方向にバネ等の弾性部材で付勢する（あるいはその逆で、停止位置に向けてバネ等の弾性部材を引っ張る）ようにしても良い。このようにすることにより、ユニット１０の横フック掛け具１４を押し込んだ際に、横フック１８が横フック掛け具１４から逃げる方向（図６を援用すると、矢印Ｄで示す方向）へ移動し、その後、横フック１８の鉤部分（縦フック１７の鉤部分１７Ａに相当）が横フック掛け具１４を乗り越えることで、横フック１８が停止位置（図６を援用すると、矢印Ｅで示す位置）に戻り、横フック掛け具１４に係合する。
【００４０】
横シャフト１６の横フック１８をユニット１０の横フック掛け具１４から外す場合は、横シャフト１６自体を逆方向（図１のＣ’方向）に回転させれば良い。このとき横フック１８は横シャフト１６と一体化して回転するので、ユニット１０の横フック掛け具１４から外れる。このように、横シャフト１６の横フック１８をユニット１０の横フック掛け具１４に自動的に係合させることができる。なお、横フック１８を横シャフト１６に対して回転自在に支持する機構（図示）と横フック１８の停止位置方向に横フック１８を引っ張る弾性部材はロック機構を構成する。因みに、このロック機構はスライド式にも適用可能である。即ち、横シャフト１６の横フック１８がユニット１０の横フック掛け具１４に係合する方向に付勢するように弾性部材を設ける。
【００４１】
図７は、フレーム２０に、縦シャフト１５と、横シャフト１６と、ユニット１０とを組み付けた状態を示す図である。フレーム２０を、壁面や支柱などに表示装置を取り付ける際の台座の役目とユニット１０の位置決め、縦、横シャフト１５、１６のホルダとして構成することで、設置作業の効率化が図れる。フレーム２０に、縦、横シャフト１５、１６の回転やスライドに対するロック機構を設けることで、縦、横シャフト１５、１６が振動等で勝手に回転やスライドしないようにすることができ、安全性をさらに向上させることができる。
【００４２】
このように、本実施の形態のユニット構造によれば、縦フック掛け具１３及び横フック掛け具１４を有するユニット１０と、ユニット１０の縦フック掛け具１３に係合させる縦フック１７を有する縦シャフト１５と、ユニット１０の横フック掛け具１４に係合させる横フック１８を有する横シャフト１６とを有し、縦シャフト１５と横シャフト１６を回転又はスライドさせることで、ユニット１０の固定、固定解除が可能な構造としたので、ユニット１０を複数用意すると共に、縦シャフト１５と横シャフト１６をそれぞれ複数本用意して格子状に配置することで、縦横交点のユニット１０のみを固定したり固定解除したりすることができる。これにより、メンテナンスの必要なユニット１０を簡単に外すことができ、安全な場所でメンテナンスを行うことができる。また、不良ユニット１０も簡単に交換することができる。また、初期の設置もフレーム２０にユニット１０を差し込んでフックをかけるだけで簡単に設置を行うことができ、作業の効率化が図れる。また、表示装置のサイズもユニット１０の数量を変えるだけで簡単に変更することができ、標準化が図れる。
【００４３】
なお、上記実施の形態において、縦、横シャフト１５、１６が長過ぎる場合は、複数に分割して、それぞれにおいて回転やスライドしたりしても良い。例えば、２分割する場合、中央付近で上下に２分割し、上側と下側のそれぞれにおいて回転やスライドしたりしても良い。
【産業上の利用可能性】
【００４４】
本発明は、設置やメンテナンスを安全且つ簡単に行うことができるといった効果を有し、表示装置等に適用できる。
【図面の簡単な説明】
【００４５】
【図１】本発明の一実施の形態に係るユニット構造体を示す側面図
【図２】ユニット構造体を構成するユニットを示す斜視図
【図３】のユニットを背面側から見た斜視図
【図４】回転式の縦シャフトの動かし方を説明するための図
【図５】スライド式の縦シャフトの動かし方を説明するための図
【図６】回転式の縦シャフトのロック機構を説明するための図
【図７】ユニット、縦シャフト、横シャフトのフレームへの組み付け状態を示す図
【図８】従来の表示装置を示す斜視図
【図９】従来の他の表示装置を示す斜視図
【符号の説明】
【００４６】
１０  ユニット
１１  パネル
１２  位置決めピン
１３  縦フック掛け具
１４  横フック掛け具
１５  縦シャフト
１６  横シャフト
１７  縦フック
１８  横フック
２０  フレーム
２１  穴
【図１】
2008233832.tif 000003
【図２】
2008233832.tif 000004
【図３】
2008233832.tif 000005
【図４】
2008233832.tif 000006
【図５】
2008233832.tif 000007
【図６】
2008233832.tif 000008
【図７】
2008233832.tif 000009
【図８】
2008233832.tif 000010
【図９】
2008233832.tif 000011